(57)【要約】      （修正有）【課題】コンポーネントの表面が清潔であることを表示する清浄性表示システム及び方法の提供。【解決手段】清浄性表示システム１１２及び方法は、コンポーネント１０８の表面１１０に位置するように構成された光ルミネセンスインジケータ１１４を含み、光ルミネセンスインジケータは、紫外（ＵＶ）光１０６消毒サイクル中にＵＶ光に曝露されるように構成され、紫外光への曝露に起因して光を放出し、光を放出することによりコンポーネントの表面が清潔であることを表示する清浄性表示システム及び方法。【選択図】図１
2019048029.tif 000002
【特許請求の範囲】
【請求項１】
コンポーネント（１０８）の表面（１１０）が清潔であることを表示するように構成された清浄表示システム（１１２）であって、
前記コンポーネント（１０８）の前記表面（１１０）に位置するように構成された光ルミネセンスインジケータ（１１４）を備え、前記光ルミネセンスインジケータ（１１４）は、紫外（ＵＶ）光消毒サイクル中にＵＶ光に曝露されるように構成され、前記ＵＶ光への曝露に起因して光を放出し、前記ＵＶ光への曝露に起因して前記光を放出することにより前記コンポーネント（１０８）の前記表面（１１０）が清潔であることを表示する、清浄性表示システム（１１２）。
【請求項２】
前記光ルミネセンスインジケータ（１１４）は、閾値レベルのＵＶ光エネルギーに曝露された後に可視光を放出する、請求項１に記載の清浄性表示システム（１１２）。
【請求項３】
前記光ルミネセンスインジケータ（１１４）は、前記ＵＶ光に曝露されない場合は前記光を放出しない、請求項１又は２に記載の清浄性表示システム（１１２）。
【請求項４】
前記光ルミネセンスインジケータ（１１４）は、前記コンポーネント（１０８）の前記表面（１１０）に取り付けられる、請求項１〜３のいずれか一項に記載の清浄性表示システム（１１２）。
【請求項５】
前記光ルミネセンスインジケータ（１１４）は、前記コンポーネント（１０８）の少なくとも一部を形成する、請求項１〜４のいずれか一項に記載の清浄性表示システム（１１２）。  
【請求項６】
前記光ルミネセンスインジケータ（１１４）の上に配置される透明カバーを更に備える、請求項１〜５のいずれか一項に記載の清浄性表示システム。
【請求項７】
前記光ルミネセンスインジケータ（１１４）の上に配置される光フィルタを更に備える、請求項１〜６のいずれか一項に記載の清浄性表示システム。
【請求項８】
前記光ルミネセンスインジケータ（１１４）は、特定の形状を有する光ルミネセンス材料のストリップ又はブロックを含む、請求項１〜７のいずれか一項に記載の清浄性表示システム。
【請求項９】
前記光ルミネセンスインジケータ（１１４）は文字として形成される、請求項１〜８のいずれか一項に記載の清浄性表示システム。
【請求項１０】
前記光ルミネセンスインジケータ（１１４）はグラフィックとして形成される、請求項１〜９のいずれか一項に記載の清浄性表示システム。
【請求項１１】
前記光ルミネセンスインジケータ（１１４）は広告として形成される、請求項１〜１０のいずれか一項に記載の清浄性表示システム。
【請求項１２】
コンポーネント（１０８）の表面（１１０）が清潔であることを表示するように構成された清浄性表示方法であって、
前記コンポーネント（１０８）の前記表面（１１０）に光ルミネセンスインジケータ（１１４）を配置することと、
紫外（ＵＶ）光消毒サイクル中に前記光ルミネセンスインジケータ（１１４）をＵＶ光に曝露することと、
前記曝露に起因して前記光ルミネセンスインジケータ（１１４）から光を放出することと、
前記放出することにより前記コンポーネント（１０８）の前記表面（１１０）が清潔であることを表示することと
を含む方法。
【請求項１３】
前記放出することは、前記曝露の後、所定の期間にわたり持続する、請求項１２に記載の清浄性表示方法。
【請求項１４】
前記配置することは、前記光ルミネセンスインジケータ（１１４）を前記コンポーネント（１０８）の前記表面（１１０）に取り付けることを含む、請求項１２又は１３に記載の清浄性表示方法。
【請求項１５】
前記配置することは、前記光ルミネセンスインジケータ（１１４）を用いて前記コンポーネント（１０８）の少なくとも一部を形成することを含む、請求項１２〜１４のいずれか一項に記載の清浄性表示方法。
【発明の詳細な説明】
【技術分野】
【０００１】
本開示の実施形態は、概して清浄性表示システム及び方法に関し、より具体的には、特定の表面が紫外光で消毒されたことを示すシステム及び方法に関する。  
【背景技術】
【０００２】
民間航空機は、様々な場所間で乗客を輸送するために使用される。一般的な民間航空機は、内部キャビンの中に一又は複数の化粧室を含む。航空機の化粧室内の表面を殺菌又は消毒するための紫外（ＵＶ）光を用いたシステムの開発が現在進められている。例えば、遠ＵＶ光は化粧室内の露出表面を効率良く殺菌することが分かっている。
【０００３】
ＵＶ光消毒システムは、空室の化粧室内の消毒すべき表面にＵＶ光を放出する。すなわち、化粧室に誰もいないときにＵＶ光消毒プロセスが行われる。それゆえ、ＵＶ光消毒プロセスの後に人が化粧室に入ったとき、その人は使用の合間に化粧室内の特定の表面が消毒されたことに気が付かない可能性がある。  
【発明の概要】
【０００４】
化粧室内の表面が消毒済みで清潔であることを示すシステム及び方法が必要である。更に、例えば化粧室内の表面が清潔且つ衛生的であることを人が知り安心することのできるシステム及び方法が必要である。
【０００５】
こうした必要性を鑑みて、本開示の特定の実施形態によれば、コンポーネントの表面が清潔であることを表示するように構成された清浄性表示システムが提供される。清浄性表示システムは、コンポーネントの表面に位置するように構成された光ルミネセンスインジケータを含む。光ルミネセンスインジケータは、紫外（ＵＶ）光消毒サイクル中にＵＶ光に曝露されるように構成される。光ルミネセンスインジケータは、ＵＶ光への曝露に起因して光を放出する。光ルミネセンスインジケータは、ＵＶ光への曝露に起因して光を放出することによってコンポーネントの表面が清潔であることを表示する。
【０００６】
光ルミネセンスインジケータは、ＵＶ光に曝露された後、所定の期間にわたり光を放出する光ルミネセンスインジケータは、ＵＶ光に曝露されていない場合には光を放出しない。光ルミネセンスインジケータは、閾値レベルのＵＶ光エネルギーに曝露された後に可視光を放出するように構成されてよい。
【０００７】
光ルミネセンスインジケータは、コンポーネントの表面に取り付けられてよい。光ルミネセンスインジケータは、コンポーネントの少なくとも一部を形成してもよい。  
【０００８】
清浄性表示システムは、光ルミネセンスインジケータの上に配置された透明カバーも含んでいてよい。清浄性表示システムは、光ルミネセンスインジケータの上に配置されたフィルタも含んでいてよい。  
【０００９】
少なくとも一の実施形態では、光ルミネセンスインジケータは特定の形状を有する光ルミネセンス材料のストリップ（細長片）又はブロックを含む。少なくとも一の実施形態では、光ルミネセンスインジケータは文字として形成される。少なくとも一の実施形態では、光ルミネセンスインジケータはグラフィックとして形成される。少なくとも一の実施形態では、光ルミネセンスインジケータは広告として形成される。
【００１０】
本開示の特定の実施形態によれば、コンポーネントの表面が清潔であることを表示するように構成された清浄性表示方法が提供される。清浄性表示方法は、コンポーネントの表面に光ルミネセンスインジケータを配置することと、紫外（ＵＶ）光消毒サイクル中に光ルミネセンスインジケータをＵＶ光に曝露することと、当該曝露に起因して光ルミネセンスインジケータから光を放出することと、当該放出によりコンポーネントの表面が清潔であることを表示することとを含む。
【００１１】
本開示の特定の実施形態によれば、内部キャビンと、内部キャビンの中の化粧室とを含むビークル（乗り物）が提供される。化粧室は、便器及びシンクを支持する床を含む。少なくとも一つの紫外（ＵＶ）光源は、ＵＶ光消毒サイクル中に床、便器、又はシンクの少なくとも一つの表面にＵＶ光を放出するように構成される。清浄性表示システムは、床、便器又はシンクの表面（一又は複数）が清潔であることを示すように構成される。清浄性表示システムは、表面（一又は複数）に位置する少なくとも一つの光ルミネセンスインジケータを含む。光ルミネセンスインジケータ（一又は複数）は、ＵＶ光消毒サイクル中にＵＶ光に曝露される。光ルミネセンスインジケータ（一又は複数）は、ＵＶ光への曝露に起因して光を放出する。光ルミネセンスインジケータ（一又は複数）は、ＵＶ光への曝露に起因して光を放出することによって、表面（一又は複数）が清潔であることを表示する。
【図面の簡単な説明】
【００１２】
【図１】本開示の実施形態に係る閉ざされた空間のための紫外光消毒システムの概略図を示す。
【図２】本開示の一実施形態に係る清浄性表示システムの上面斜視図を示す。
【図３】本開示の一実施形態に係る清浄性表示システムの上面図を示す。
【図４】本開示の一実施形態に係る清浄性表示システムの上面図を示す。
【図５】本開示の一実施形態に係る清浄性表示システムの上面図を示す。
【図６】本開示の一実施形態に係る化粧室の内部斜視図を示す。
【図７】本開示の一実施形態に係る清浄性表示方法のフローチャートを示す。
【図８】本開示の一実施形態に係る航空機の正面斜視図を示す。
【図９】本開示の一実施形態に係る航空機の内部キャビンの上面図を示す。
【図１０】本開示の一実施形態に係る航空機の内部キャビンの上面図を示す。
【発明を実施するための形態】
【００１３】
上記の概要及び以下の特定の実施形態の詳細な説明は、添付の図面と併せて読むことでより深く理解されよう。本明細書において、単数形で、「１つの（「ａ」又は「ａｎ」）」という語に続いて記載される要素又はステップは、当該要素又はステップが複数あることを必ずしも除外するわけではないことを理解されたい。更に、「一実施形態」に言及することは、記載した構成を包含する追加の実施形態が存在することを除外すると解釈されることを意図していない。更に、そうでないと明記しない限り、特定の条件を有する一又は複数の要素を「備える（ｃｏｍｐｒｉｓｉｎｇ）」又は「有する（ｈａｖｉｎｇ）」実施形態は、当該条件を有さない追加の要素を含んでいてもよい。
【００１４】
本開示の特定の実施形態によれば、コンポーネントの表面が消毒済みであり、ゆえに清潔で使用の準備が整っていることを表示するように構成される清浄性表示システムが提供される。清浄性表示システムは、コンポーネントの表面を消毒する紫外（ＵＶ）光に曝露された後に光を放出する（例えば、光り輝く）光ルミネセンスインジケータを含む。光ルミネセンスインジケータは、ＵＶ光への曝露後に所定の期間、例えば１から３分間、光り輝くように構成される。少なくとも一の実施形態では、光ルミネセンスインジケータは、ＵＶ光への１秒以下の曝露後、所定の期間にわたり光り輝きうる。更に、光ルミネセンスインジケータが光り輝く程度は、光ルミネセンスインジケータに放出されるＵＶ光の強度に応じて変化しうる。  
【００１５】
光ルミネセンスとは、特定の材料が放射を吸収した後の当該材料からの光の放出である。光ルミネセンスは、光励起により開始される。光励起後、他の光子を再放射する緩和プロセスが生じる。  
【００１６】
本開示の実施形態によれば、ＵＶ光消毒プロセスを人が目にしていなかったとしても、コンポーネントが使用の合間に効果的に清掃されたことをＵＶ光などにより人に知らせる清浄性表示システム及び方法が提供される。清浄性表示システム及び方法は、清浄であることを目立つように表示するための電力を必要としない。更に、清浄性表示システム及び方法は低コスト且つ軽量であり、また他のコンポーネントに使用されうる電力を必要としない。
【００１７】
少なくとも一の実施形態では、光ルミネセンスインジケータは、例えば化粧室内のコンポーネントの表面がＵＶ光により消毒済みであることを人に伝える光輝パターンを放出する。このため、人は化粧室を問題なく使用できることを知り安心することができる。少なくとも一の実施形態では、光ルミネセンスインジケータは、特定レベルの細菌除去有効性に一致するように調整されうる。すなわち、光ルミネセンスインジケータは、細菌、病原菌などを除去するように構成されたＵＶ光への曝露後に光り輝くように構成されうる。  
【００１８】
少なくとも一の実施形態では、対象とする表面が周期的に遠ＵＶ光に曝露される。対象とする表面は、遠ＵＶ光への少し前の曝露後に光り輝く光ルミネセンス材料によって少なくとも部分的に画定される。対象とする表面は、化粧室内にあるような、人と接触する表面（例えば、洗面台、シンク、便座、据付器具、ドア、ノブ、ハンドル、床など）である。対象とする表面の他の例としては、手袋、キーボード、タッチパッド、携帯型装置（スマートフォンなど）、歯ブラシなどが挙げられる。光ルミネセンス材料は、遠ＵＶ光への少し前の曝露がない場合は目に見えない。光ルミネセンス材料は、人へのメッセージを伝達するパターンで設けられる。例えば、パターンは、表面が清潔であるという表示を伝達しうる。少なくとも一の実施形態では、パターンは広告も伝達しうる。  
【００１９】
図１は、本開示の実施形態に係る、閉ざされた空間１０２のための紫外（ＵＶ）光消毒システム１００の概略図を示す。ＵＶ光消毒システム１００は、消毒ＵＶ光をコンポーネント１０８の表面１１０に放出することによりコンポーネント１０８を消毒するＵＶ光源１０４を含む。  
【００２０】
少なくとも一の実施形態では、閉ざされた空間１０２は、例えばビークル内に設けられた化粧室である。コンポーネント１０８の例としては、便座、洗面台、シンク、蛇口、床、壁などが挙げられる。少なくとも一の他の実施形態では、閉ざされた空間１０２は、ギャレー、キッチンなどの食品準備領域、医療環境（病室、手術室など）である。この実施形態では、コンポーネント１０８の例として、食品準備台、オーブン、シンク、蛇口などが挙げられる。コンポーネント１０８の他の例としては、検査台、手術台、及び医療装置、設備、道具などが挙げられる。
【００２１】
表面１１０は、人が接触する表面でありうる。例えば、表面１１０は、洗面台、シンク、便座、据付器具、ドア、ドアノブ、ハンドル、床の一部などでありうる。
【００２２】
光源１０４は、アーク灯（一又は複数）、レーザ（一又は複数）、発光ダイオード（ＬＥＤ）（一又は複数）、マイクロフィラメント（一又は複数）、繊維光学素子（一又は複数）、電球（一又は複数）などの一又は複数のＵＶ光素子を含む。少なくとも一の実施形態では、光源１０４は、コンポーネント１０８の表面１１０を消毒するために用いられる遠ＵＶ光としてＵＶ光１０６を放出する。代替的には、ＵＶ光１０６は、ＵＶＡ光、ＵＶＢ光、ＵＶＣ光、真空ＵＶ光などであってもよい。少なくとも一の実施形態では、光源１０４は、様々なＵＶ帯域（例えば、様々な波長及び様々な周波数）でＵＶ光を放出するように構成されたＵＶ光素子を含みうる。例えば、一のＵＶ光素子が遠ＵＶ光を放出するように構成され、一方で別のＵＶ光素子がＵＶＣ光を放出するように構成されうる。
【００２３】
表面１１０は、消毒サイクルなどの消毒プロセス中にＵＶ光１０６を受けるコンポーネントの露出した部分である。表面１１０は、清浄性表示システム１１２を含む。例えば、清浄性表示システム１１２は、例えば一又は複数のファスナ、接着剤などを介して表面１１０にしっかりと固定されうる。少なくとも一の実施形態では、清浄性表示システム１１２は、表面１１０と一体的に形成されているか又は表面１１０の近傍に位置する。一例として、清浄性表示システム１１２は、表面１１０の少なくとも一部を形成する。少なくとも一の実施形態では、清浄性表示システム１１２は、表面１１０全体を形成してもよい。例えば、清浄性表示システム１１２により、化粧室内の洗面台が設けられうる。
【００２４】
清浄性表示システム１１２は、光フィルタ１１６及びカバー１１８の下に光ルミネセンスインジケータ１１４を含む。光ルミネセンスインジケータ１１４は、ＵＶ光１０６に曝露された後に光を放出する（例えば、光り輝く）光ルミネセンス材料で形成される。光ルミネセンスインジケータ１１４は、ＵＶ光１０６に曝露された後、所定の時間にわたり光り輝く。例えば、光ルミネセンスインジケータ１１４は、ＵＶ光１０６に曝露された後に１から３分間光り輝く。任意選択的に、光ルミネセンスインジケータ１１４はＵＶ光１０６に曝露された後、１分未満又は３分より長く光り輝いてもよい。
【００２５】
少なくとも一の実施形態では、光ルミネセンスインジケータ１１４は、遠ＵＶ光などのＵＶ光に曝露された後に光を放出する材料で形成される。光ルミネセンスインジケータ１１４は、光り輝くために電力源に連結される必要はない。むしろ、光ルミネセンスインジケータ１１４はＵＶ光１０６への曝露に起因して光り輝く。
【００２６】
フィルタ１１６は、光ルミネセンスインジケータ１１４の上に固定される。したがって、フィルタ１１６はＵＶ光源１０４と光ルミネセンスインジケータ１１４との間に配置される。フィルタ１１６は、ＵＶ光などの特定の波長の光を通過させるように構成される。ＵＶ光１０６はフィルタ１１６を通過して光ルミネセンスインジケータ１１４を励起するが、他の種類の光をブロックしうる。このように、光ルミネセンスインジケータ１１４は、消毒ＵＶ光１０６に曝露された後にのみ光り輝きうる。少なくとも一の実施形態では、フィルタ１１６は、細菌、病原菌などを除去するように構成されたＵＶ光への曝露後に光り輝くように光ルミネセンスインジケータ１１４を調整するように構成されうる。任意選択的に、清浄性表示システム１１２はフィルタ１１６を含んでいなくてもよい。
【００２７】
カバー１１８は、光ルミネセンスインジケータ１１４の上に固定される。カバー１１８は、ＵＶ光源１０４と光ルミネセンスインジケータ１１４との間に配置される。カバー１１８は、フィルタ１１６の上に配置されうる。少なくとも一の他の実施形態では、フィルタ１１６がカバー１１８の上に配置される。少なくとも一の他の実施形態では、フィルタ１１６がカバー１１８の一部として形成される。例えば、フィルタ１１６はカバー１１８内に埋め込まれうる。カバー１１８は、光を通過させる透明材料で形成される。例えば、カバー１１８は、クォ―ツガラス又はシリカガラスなどで形成されうる。カバー１１８は、損傷や標準的な摩滅から光ルミネセンスインジケータ１１４を保護する。任意選択的に、清浄性表示システム１１２はカバー１１８を含んでいなくてもよい。
【００２８】
光ルミネセンスインジケータ１１４は、カバー１１８及び／又はフィルタ１１６の下の光ルミネセンス材料の基部でありうる。例えば、光ルミネセンスインジケータ１１４は、表面１１０に付着させられる光ルミネセンス材料のストリップでありうる。少なくとも一の他の実施形態では、光ルミネセンスインジケータ１１４は表面１１０自体の少なくとも一部を形成しうる。少なくとも一の他の実施形態では、光ルミネセンスインジケータ１１４は、カバー１１８及び／又はフィルタ１１６の下側に塗布される光ルミネセンス材料（塗料又は接着剤など）の層でありうる。
【００２９】
光ルミネセンスインジケータ１１４は、特定の形状、グラフィック、文字などとして形成されうる。例えば、光ルミネセンスインジケータ１１４は、「清潔」、「消毒済み」などの文字として形成されていてよい。少なくとも一の他の実施形態では、光ルミネセンスインジケータ１１４は、企業のトレードマークなどのグラフィックとして形成されていてよい。少なくとも一の他の実施形態では、光ルミネセンスインジケータ１１４は、「ＦＬＹ  ＢＯＥＩＮＧ」のような広告として形成されていてよい。
【００３０】
作動中、ＵＶ光源１０４は表面１１０にＵＶ光１０６を放出して、使用の合間に表面１０２を消毒する。例えば、ＵＶ光源１０４は、人が化粧室から出た後、化粧室に誰もいないときに所定の消毒期間にわたり表面１１０にＵＶ光１０６を放出する。消毒期間が終了した後（遠ＵＶ光曝露の２又は３秒後など）に、光ルミネセンスインジケータ１１４はＵＶ光１０６への曝露に起因して光を放出する（例えば、光り輝く）。光り輝いている光ルミネセンスインジケータ１１４により、コンポーネント１０８の表面１１０がＵＶ光１０６で消毒されたという通知が提供される。
【００３１】
図２は、本開示の一実施形態に係る清浄性表示システム１１２の上面斜視図を示す。図示のように、光ルミネセンスインジケータ１１４は、特定の形状を有する材料のブロックでありうる。例えば、光ルミネセンスインジケータ１１４は、正方形に形成されうる。他の実施形態では、光ルミネセンスインジケータ１１４は円形、三角形、平行四辺形、不規則形状などであってよい。光ルミネセンスインジケータ１１４は、カバー１１８の下に固定される。清浄性表示システム１１２は、フィルタ１１６（図１に示す）も含んでいてよい。
【００３２】
図３は、本開示の実施形態に係る清浄性表示システム１１２の上面図を示す。本実施形態では、光ルミネセンスインジケータ１１４は、「清潔」などの文字として形成される。ＵＶ光１０６（図１に示す）への曝露後、光ルミネセンスインジケータ１１４は「清潔」という単語として目立つように光り輝く。任意選択的に、「消毒済み」及び／又は「安全、快適性のため清掃済み」などの様々な他の文字を使用することができる。
【００３３】
図４は、本開示の実施形態に係る清浄性表示システム１１２の上面図を示す。本実施形態では、光ルミネセンスインジケータ１１４は、グラフィック、例えば航空機のグラフィックとして形成される。グラフィックの他の例として、清浄性を象徴するもの（閃光グラフィックなど）が挙げられる。
【００３４】
図５は、本開示の実施形態に係る清浄性表示システム１１２の上面図を示す。本実施形態では、光ルミネセンスインジケータ１１４は広告として形成され、ＵＶ光１０６への曝露後に光り輝く際、清浄性を表示すること及び広告を行うことのデュアル機能を提供する。
【００３５】
少なくとも一の実施形態では、光ルミネセンスインジケータ１１４は、照射されたときに光検出センサにより検出されうる。光ルミネセンスインジケータ１１４の照射は、ＵＶ消毒システムにフィードバックループを提供するために自動的に検出されうる。ＵＶ消毒システムは、光検出センサが光ルミネセンスインジケータ１１４から放出された光を検出しない場合には別の消毒サイクルを自動的に開始しうる。
【００３６】
図１〜５には、清浄性表示システム１１２はコンポーネント１０８の表面１１０に固定されうることが示されている。少なくとも一の実施形態では、清浄性表示システム１１２は、コンポーネント１０８の一体化部品を形成する（別個のものとしてコンポーネント１０８に装着されるのとは異なる）。光ルミネセンスインジケータ１１４は、人にメッセージを伝達するように（形状を有するパターン、文字のパターン、グラフィック（一又は複数）などで）設けられる。
【００３７】
光ルミネセンスインジケータ１１４は、ＵＶ光１０６への少し前の曝露後に光を放出する（例えば、光り輝く）。例えば、光ルミネセンスインジケータ１１４は、ＵＶ光１０６への曝露後１分から３分間の期間にわたり光を放出する。ＵＶ光１０６への少し前の曝露がない場合、光ルミネセンスインジケータ１１４は光を放出しない。例えば、ＵＶ光１０６への曝露から５分後に、光ルミネセンスインジケータ１１４は光を放出しなくなる、及び／又は目に見えなくなる。
【００３８】
図６は、本開示の一実施形態に係る化粧室１０２の内部斜視図を示す。化粧室１０２は、図１に示され当該図に関して記載した、閉ざされた空間１０２の例である。化粧室１０２は、航空機内に設けられうる。任意選択的に、化粧室１０２は種々の他のビークルに設けられてもよい。他の実施形態では、化粧室１０２は、商業用又は住居用の建物などの固定構造物内にあってよい。
【００３９】
化粧室１０２は、便器２０２、棚２０４、及びシンク２０６を支持する床２０１を含む。一又は複数のＵＶ光源１０４は化粧室１０２内に固定され、消毒サイクル中に起動され、便器２０２、床２０１、棚２０４、及び／又はシンク２０６などの化粧室１０２内の種々の構造物を消毒（例えば、殺菌、滅菌、又は清掃）するように構成される。
【００４０】
清浄性表示システム１１２は、化粧室１０２内の種々のコンポーネントの表面に固定されるか、又は表面を形成してよい。例えば、便器２０２は清浄性表示システム１１２を含みうる。一又は複数の清浄性表示システム１１２は、床２０１に位置しうる。シンク２０６は、清浄性表示システム１１２を含みうる。清浄性表示システム１１２は、蛇口２０７の一部に位置しうる。一又は複数の棚２０４は、清浄性表示システム１１２を含みうる。化粧室１０２は、図示したものよりも多くの又は少ない清浄性表示システム１１２を含んでいてよい。
【００４１】
図７は、本開示の一実施形態に係る清浄性表示方法のフローチャートを示す。方法は３００で開始し、清掃すべきコンポーネントを有する閉ざされた空間が使用されたか否かを判定する。３０２では、閉ざされた空間が少し前に使用されなかった場合、方法は３０４に進む。３０４では、コンポーネントに対する消毒サイクルが開始されず、方法は３００に戻る。しかしながら、閉ざされた空間３０２が少し前に使用された場合、方法は３０６に進む。３０６では、閉ざされた空間を人が現在使用中であるか否かを判定する。閉ざされた空間が使用中の場合、方法は３０８に進む。３０８では、消毒サイクルは開始されず、次いで方法は３０６に戻る。
【００４２】
しかしながら、閉ざされた空間が使用中でない場合、方法は３０６から３１０まで進み、コンポーネントを消毒するためにコンポーネントにＵＶ光を放出する。３１２では、コンポーネントの清浄性表示システム（例えば、コンポーネントの一体化部品、又はコンポーネントに装着された部品）をＵＶ光に曝露する。３１４では、消毒サイクルが完了すると、ＵＶ光の放出は終了する。３１６では、コンポーネントが清潔であることを表示するために、清浄性表示システムが（ＵＶ光への曝露により生じた励起に起因して）光を放出する。方法はその後、３００に戻る。
【００４３】
図８は、本開示の一実施形態に係る航空機６００の正面斜視図を示す。航空機６００は、例えば２つのターボファンエンジン６１４を含みうる推進システム６１２を含む。任意選択的に、推進システム６１２は、図示したものよりも多くのエンジン６１４を含んでいてよい。エンジン６１４は、航空機６００の翼６１６により支えられる。他の実施形態では、エンジン６１４は、胴体６１８及び／又は尾翼６２０によって支えられていてよい。尾翼６２０は、水平安定板６２２及び垂直安定板６２４も支持しうる。
【００４４】
航空機６００の胴体６１８は内部キャビンを画定し、内部キャビンは、コックピット、一又は複数の作業セクション（例えばギャレー、手荷物エリアなど）、一又は複数の旅客セクション（例えばファーストクラス、ビジネスクラス、及びコーチ（ｃｏａｃｈ）セクション）、並びに後方レストエリアアセンブリが配置されうる後方セクションを含みうる。セクションの各々は、一又は複数のクラス仕切アセンブリを含みうるキャビン移行エリアによって隔てられうる。頭上手荷物収納庫アセンブリが内部キャビン全体に配置されうる。内部キャビンは、例えば化粧室などの一又は複数の室を含む。（図１に示し当該図に関して記載した）一又は複数のＵＶ光消毒システム１００は、内部キャビンの中に配置されうる。
【００４５】
代替的に、本開示の実施形態は、航空機の代わりに自動車、バス、機関車及び列車、船舶などの様々な他のビークルに使用してもよい。更に、本開示の実施形態は、例えば商業用及び住居用の建物などの固定構造物に対して使用してもよい。
【００４６】
図９は、本開示の実施形態に係る航空機の内部キャビン６３０の上面図を示す。内部キャビン６３０は、航空機の胴体６３２内にありうる。例えば、一又は複数の胴体壁によって内部キャビン６３０が画定されうる。内部キャビン６３０は複数のセクションを含み、複数のセクションは、前方セクション６３３、ファーストクラスセクション６３４（又は、例えばファーストクラススイート、ファーストクラスキャビンなど）、ビジネスクラスセクション６３６、前方ギャレーステーション６３８、拡張エコノミーセクション又はコーチセクション６４０、標準エコノミーセクション又はコーチセクション６４２、及び後方セクション６４４を含み、化粧室及びギャレーステーションなどの複数の閉ざされた空間又は室１０２を含みうる。内部キャビン６３０は、図示したものよりも多くの又は少ないセクションを含んでいてもよいことを理解されたい。例えば、内部キャビン６３０は、ファーストクラスセクションを含んでいなくてもよく、図示したものよりも多くの又は少ないギャレーステーションを含んでいてもよい。セクションの各々は、通路６４８の間にクラス仕切アセンブリを含みうるキャビン移行エリア６４６によって隔てられうる。
【００４７】
図９に示すように、内部キャビン６３０は、後方セクション６４４に通じる２つの通路６５０及び６５２を含む。任意選択的に、内部キャビン６３０は、図示したものよりも少ない又は多い通路を有していてもよい。例えば、内部キャビン６３０は、後方セクション６４４に通じる内部キャビン６３０の中央を通って延在する単一の通路を含みうる。
【００４８】
化粧室などの一又は複数の閉ざされた空間１０２は、内部キャビン６３０の中に配置されうる。ＵＶ光消毒システムは、例えば上記のように化粧室１０２内の構造物を消毒するために使用されうる。
【００４９】
図１０は、本開示の一実施形態に係る航空機の内部キャビン６８０の上面図を示す。内部キャビン６８０は航空機の胴体６８１内に位置しうる。例えば、一又は複数の胴体壁によって内部キャビン６８０が画定されうる。内部キャビン６８０は、旅客シート６８３を有するメインキャビン６８２と、メインキャビン６８２の後方の後方セクション６８５とを含む複数のセクションを含む。内部キャビン６８０は、図示したものよりも多い又は少ないセクションを含んでいてもよいことを理解されたい。
【００５０】
内部キャビン６８０は、後方セクション６８５に通じる単一の通路６８４を含みうる。単一の通路６８４は、後方セクション６８５に通じる内部キャビン６８０の中央を通って延在しうる。例えば、単一の通路６８４は、内部キャビン６８０の中央縦断面と同軸になるように位置調整されうる。
【００５１】
化粧室などの一又は複数の閉ざされた空間１０２は、内部キャビン６８０の中に配置されうる。ＵＶ光消毒システムは、例えば上記のように化粧室１０２内の構造物を消毒するために使用されうる。
【００５２】
本明細書で記載したように、本開示の実施形態によれば、閉ざされた空間（化粧室など）内の表面が消毒済みで清潔であることを表示するシステム及び方法が提供される。更に、本開示の実施形態によれば、例えば化粧室内の表面が清潔で衛生的であることを人が知り安心することのできるシステム及び方法が提供される。
【００５３】
更に、本開示は、下記の条項に係る実施形態を含む。
【００５４】
条項１．コンポーネント（１０８）の表面（１１０）が清潔であることを表示するように構成された清浄性表示システム（１１２）であって、
コンポーネント（１０８）の表面（１１０）に位置するように構成された光ルミネセンスインジケータ（１１４）を備え、光ルミネセンスインジケータ（１１４）は、紫外（ＵＶ）光消毒サイクル中にＵＶ光に曝露されるように構成され、ＵＶ光への曝露に起因して光を放出し、ＵＶ光への曝露に起因して光を放出することによりコンポーネント（１０８）の表面（１１０）が清潔であることを表示する、清浄性表示システム（１１２）。
【００５５】
条項２．光ルミネセンスインジケータ（１１４）は、閾値レベルのＵＶ光エネルギーに曝露された後に可視光を放出する、条項１に記載の清浄性表示システム（１１２）。
【００５６】
条項３．光ルミネセンスインジケータ（１１４）は、ＵＶ光に曝露されない場合は光を放出しない、条項１又は２に記載の清浄性表示システム（１１２）。  
【００５７】
条項４．光ルミネセンスインジケータ（１１４）は、コンポーネント（１０８）の表面（１１０）に取り付けられる、条項１〜３のいずれか一項に記載の清浄性表示システム（１１２）。
【００５８】
条項５．光ルミネセンスインジケータ（１１４）は、コンポーネント（１０８）の少なくとも一部を形成する、条項１〜４のいずれか一項に記載の清浄性表示システム（１１２）。
【００５９】
条項６．光ルミネセンスインジケータ（１１４）の上に配置される透明カバーを更に備える、条項１〜５のいずれか一項に記載の清浄性表示システム。
【００６０】
条項７．光ルミネセンスインジケータ（１１４）の上に配置される光フィルタを更に備える、条項１〜６のいずれか一項に記載の清浄性表示システム。  
【００６１】
条項８．光ルミネセンスインジケータ（１１４）は、特定の形状を有する光ルミネセンス材料のストリップ又はブロックを含む、条項１〜７のいずれか一項に記載の清浄性表示システム。  
【００６２】
条項９．光ルミネセンスインジケータ（１１４）は文字として形成される、条項１〜８のいずれか一項に記載の清浄性表示システム。
【００６３】
条項１０．光ルミネセンスインジケータ（１１４）はグラフィックとして形成される、条項１〜９のいずれか一項に記載の清浄性表示システム。
【００６４】
条項１１．光ルミネセンスインジケータ（１１４）は広告として形成される、条項１〜１０のいずれか一項に記載の清浄性表示システム。
【００６５】
条項１２．コンポーネント（１０８）の表面（１１０）が清潔であることを表示するように構成された清浄性表示方法であって、
コンポーネント（１０８）の表面（１１０）に光ルミネセンスインジケータ（１１４）を配置することと、
紫外（ＵＶ）光消毒サイクル中に光ルミネセンスインジケータ（１１４）をＵＶ光に曝露することと、
曝露に起因して光ルミネセンスインジケータ（１１４）から光を放出することと、
放出することによりコンポーネント（１０８）の表面（１１０）が清潔であることを表示することと
を含む方法。  
【００６６】
条項１３．放出することは曝露の後、所定の期間にわたり持続する、条項１２に記載の清浄性表示方法。
【００６７】
条項１４．配置することは、光ルミネセンスインジケータ（１１４）をコンポーネント（１０８）の表面（１１０）に取り付けることを含む、条項１２又は１３に記載の清浄性表示方法。
【００６８】
条項１５．配置することは、光ルミネセンスインジケータ（１１４）を用いてコンポーネント（１０８）の少なくとも一部を形成することを含む、条項１２〜１４のいずれか一項に記載の清浄性表示方法。  
【００６９】
条項１６．光ルミネセンスインジケータ（１１４）の上に透明カバーを配置することを更に含む、条項１２〜１５のいずれか一項に記載の清浄性表示方法。
【００７０】
条項１７．光ルミネセンスインジケータ（１１４）の上に光フィルタを配置することを更に含む、条項１２〜１６のいずれか一項に記載の清浄性表示方法。  
【００７１】
条項１８．特定の形状を有する光ルミネセンス材料のストリップ又はブロックとして光ルミネセンスインジケータ（１１４）を形成することを更に含む、条項１２〜１７のいずれか一項に記載の清浄性表示方法。  
【００７２】
条項１９．文字、グラフィック、又は広告の一又は複数として光ルミネセンスインジケータ１１４を形成することを更に含む、条項１２〜１８のいずれか一項に記載の清浄性表示方法。
【００７３】
条項２０．内部キャビンと、
内部キャビンの中の化粧室であって、便器及びシンクを支持する床を含む化粧室と、
紫外（ＵＶ）光消毒サイクル中に床、便器、又はシンクの少なくとも一つの表面（１１０）に紫外光を放出するように構成された少なくとも一つのＵＶ光源と、
床、便器又はシンクの少なくとも一つの表面（１１０）が清潔であることを表示するように構成された清浄性表示システム（１１２）とを備えるビークルであって、清浄性表示システム（１１２）は、
少なくとも一つの表面（１１０）に位置する少なくとも一つの光ルミネセンスインジケータ（１１４）を備え、少なくとも一つの光ルミネセンスインジケータ（１１４）は、紫外光消毒サイクル中に紫外光に曝露され、紫外光への曝露に起因して光を放出し、紫外光への曝露に起因して光を放出することにより少なくとも一つの表面（１１０）が清潔であることを表示する、ビークル。  
【００７４】
本開示の実施形態を記載するために、上（ｔｏｐ）、底（ｂｏｔｔｏｍ）、下方（ｌｏｗｅｒ）、中間（ｍｉｄ）、横方向（ｌａｔｅｒａｌ）、水平（ｈｏｒｉｚｏｎｔａｌ）、垂直（ｖｅｒｔｉｃａｌ）、前方（ｆｒｏｎｔ）などの空間及び方向に関する様々な用語を使用する場合があるが、このような用語は図面に示す配向に関して使用したものにすぎないことを理解されたい。当該配向は、上部が下部に、下部が上部に、水平が垂直になるなどのように、反転、回転、又は変化させてもよい。
【００７５】
本明細書において、タスク又は動作を実施するように「構成／設定された（ｃｏｎｆｉｇｕｒｅｄ  ｔｏ）」構造物、限定事項、又は要素は、タスク又は動作に対応する態様で、特に構造的に形成、構成、又は適合されている。明確さのため及び誤解を避けるために、当該タスク又は動作を実施するように単に修正が可能である対象物は、本明細書におけるタスク又は動作を実施する「ように構成／設定」されたものではない。
【００７６】
上記の説明は、限定ではなく例示を意図するものであることを理解されたい。例えば、上述の実施形態（及び／又はそれらの態様）は、互いに組み合わせて使用してもよい。加えて、本開示の範囲から逸脱することなく特定の状況または材料を本開示の様々な実施形態の教示に適合させるように多くの修正が行われてもよい。本明細書に記載の寸法及び材料の種類は、本開示の様々な実施形態のパラメータを規定するためのものであるが、こうした実施形態は全く限定的なものではなく、例示的な実施形態である。上記の説明を検討することで、当業者には多くの他の実施形態が明らかになるであろう。したがって、本開示の様々な実施形態の範囲は、添付の特許請求の範囲と、特許請求の範囲が認められる均等物の範囲全体とを参照して決定されるべきである。添付の特許請求の範囲において、「含む（ｉｎｃｌｕｄｉｎｇ）」及び「そこにおいて（ｉｎ  ｗｈｉｃｈ）」という用語は、それぞれ「備える（ｃｏｍｐｒｉｓｉｎｇ）」及び「そこで（ｗｈｅｒｅｉｎ）」という用語の明白な同義語として使用される。更に、「第１の（ｆｉｒｓｔ）」「第２の（ｓｅｃｏｎｄ）」及び「第３の（ｔｈｉｒｄ）」などの用語は、単に符号として使用され、それらの対象物に数的要件を与えることを意図するものではない。更に、下記の特許請求の範囲の限定事項は、ミーンズ・プラス・ファンクション形式で記述されておらず、特許請求の範囲の限定事項において「のための手段（ｍｅａｎｓ  ｆｏｒ）」というフレーズが、構造の記述なく機能の記述をその後に伴って明示的に使用されていない限り、米国特許法第１１２条（ｆ）に基づいて解釈されることは意図していない。
【００７７】
本明細書は、ベストモードを含む本開示の様々な実施形態を開示するため、及び、いかなる当業者にも、任意の装置又はシステムの製造及び使用、並びに包含された任意の方法の実施を含む、本開示の様々な実施形態を実践することを可能にするために、実施例を使用している。本開示の様々な実施形態の特許性の範囲は、特許請求の範囲によって規定され、当業者が想起する他の実施例を含みうる。そのような他の実施例は、特許請求の範囲の文言と構造的要素に差異がない場合、又は特許請求の範囲の文言との差異がごくわずかな同等の構造的要素を含む場合に特許請求の範囲内であることが意図される。
【図１】
2019048029.tif 000003
【図２】
2019048029.tif 000004
【図３】
2019048029.tif 000005
【図４】
2019048029.tif 000006
【図５】
2019048029.tif 000007
【図６】
2019048029.tif 000008
【図７】
2019048029.tif 000009
【図８】
2019048029.tif 000010
【図９】
2019048029.tif 000011
【図１０】
2019048029.tif 000012
【外国語明細書】
2019048029000001.pdf
2019048029000002.pdf
2019048029000003.pdf
2019048029000004.pdf